(57)【要約】【課題】簡易な構成・操作で、操作レバーに対するアームレストの前後方向の相対距離の変化を抑えつつアームレストの高さ調節を行うことができる建設機械のアームレスト装置を提供する。【解決手段】中立位置にあるときに前傾状態で起立される操作レバー２７が配設されたコンソール２４に組み付けられるアームレスト装置２８であって、操作レバー２７の後方に配置されるアームレスト３０と、コンソール筐体２５に固定されるアームレスト取付ブラケット２９と、前方に傾きを持たせて上下方向に延び、前後方向に所定間隔を存して平行にアームレスト取付ブラケット２９に設けられる２条のスリット４１，４２と、スリット４１，４２を通してアームレスト３０にねじ込まれる螺子軸３１ａ，３２ａを有し、アームレスト３０とアームレスト取付ブラケット２９とを締結する締結具３１，３２とを備えるものとする。【選択図】図３
2012136050.tif 000002
【特許請求の範囲】
【請求項１】
中立位置にあるときに前傾状態で起立される操作レバーが配設されたコンソールに組み付けられる建設機械のアームレスト装置であって、
前記操作レバーの後方に配置されるアームレストと、
前記コンソールに固定されるアームレスト取付ブラケットと、
前方に傾きを持たせて上下方向に延び、前後方向に所定間隔を存して平行に前記アームレスト取付ブラケットに設けられる少なくとも２条のスリットと、
前記スリットを通して前記アームレストにねじ込まれる螺子軸を有し、前記アームレストと前記アームレスト取付ブラケットとを締結する締結具と
を備えることを特徴とする建設機械のアームレスト装置。
【請求項２】
前記２条のスリットのうち、前側のスリットは、その上部に、後側に円弧状に湾曲した円弧形状部を有するものとされる請求項１に記載の建設機械のアームレスト装置。
【請求項３】
前記２条のスリットにおける前側のスリットの幅が後側のスリットの幅よりも大きくされる請求項１に記載の建設機械のアームレスト装置。
【請求項４】
前記２条のスリットのうち、前側のスリットは、前記アームレストの前後方向の中央位置よりも後側に配される請求項２または３に記載の建設機械のアームレスト装置。
【発明の詳細な説明】
【技術分野】
【０００１】
本発明は、ホイールローダ等の建設機械の運転席ユニットに配備されるコンソールに組み付けられて好適な建設機械のアームレスト装置に関するものである。
【背景技術】
【０００２】
例えば、建設機械において、各種の操作レバーやスイッチ類は、オペレータシートの側方に配された操作盤（以下、「コンソール」という。）に一纏めにして配設されている。
作業を行う際に、オペレータの体格や作業状況に応じて、オペレータが操作レバーとの位置関係を含め作業を行い易い操作姿勢をとることができるように、コンソールが前後方向および上下方向にそれぞれ移動調節可能な構造を備えたコンソール調整装置が例えば特許文献１にて提案されている。
【先行技術文献】
【特許文献】
【０００３】
【特許文献１】特開２００２−３２２６７５号公報
【０００４】
特許文献１に係るコンソール調整装置においては、オペレータシートに固定されたブラケットに前後方向に移動可能に前後移動部が取り付けられている。この前後移動部には、上下方向に移動可能に上下移動部が取り付けられている。そして、この上下移動部にコンソールの筐体が装着されている。
【０００５】
コンソールの筐体の前部には、操作レバーが配設されている。操作レバーは、中立位置にあるときに前傾状態でコンソール上に起立されている。また、コンソールの筐体の中間部から後部に亘ってアームレストが操作レバーの後方に位置するように配設されている。アームレストは、コンソールの筐体に一体的に装着されている。
【０００６】
特許文献１に係るコンソール調整装置によれば、コンソールを前後方向および上下方向にそれぞれ移動させることによって操作レバーをオペレータの好みの位置に調節することができる。このため、オペレータが前腕をアームレストに置かずに操作レバーを操作するのであれば当該コンソール調整装置の構造でも何ら問題が生じるものではない。
【０００７】
ところが、オペレータが前腕をアームレストに置いて操作レバーを操作する場合、操作レバーに対してアームレストの高さを単独で調整したいという要望がある。特に、アームレストの前端部に手首部分を当てて操作レバーを操作する場合、言い換えればアームレストをリストレストとして用いて操作レバーを操作する場合、アームレストの単独での高さ調整機能が熱望される。
しかしながら、特許文献１に係るコンソール調整装置では、アームレストがコンソールの筐体に一体的に装着されているため、操作レバーに対してアームレストの高さを単独で調整することができないという問題点がある。
【０００８】
そこで、コンソールとアームレストとの間にアームレストの高さ調節機構を組み込むことにより、上記の問題点は解決するものと思われる。しかし、操作レバーは中立位置で前側に傾きが付されている。このため、アームレストを上昇させると、操作レバーとの前後方向の相対距離が大きくなる。これとは逆に、アームレストを下降させると、操作レバーとの前後方向の相対距離が小さくなる。このように、アームレストの高さ調節動作を行うと、操作レバーに対するアームレストの相対距離が変化するという不具合が発生する。かかる不具合の発生を防止するためには、コンソールとアームレストとの間にアームレストの前後方向の位置を調節する機構を組み込むことが考えられる。しかし、構造が複雑になる上に、アームレストの高さ位置を変えるたびに前後方向の位置を変える必要があり、アームレストの位置調整操作が煩雑になるという問題点がある。
【発明の概要】
【発明が解決しようとする課題】
【０００９】
本発明は、前述のような問題点に鑑みてなされたもので、簡易な構成・操作で、操作レバーに対するアームレストの前後方向の相対距離の変化を抑えつつアームレストの高さ調節を行うことができる建設機械のアームレスト装置を提供することを目的とするものである。
【課題を解決するための手段】
【００１０】
前記目的を達成するために、本発明による建設機械のアームレスト装置は、
中立位置にあるときに前傾状態で起立される操作レバーが配設されたコンソールに組み付けられる建設機械のアームレスト装置であって、
前記操作レバーの後方に配置されるアームレストと、
前記コンソールに固定されるアームレスト取付ブラケットと、
前方に傾きを持たせて上下方向に延び、前後方向に所定間隔を存して平行に前記アームレスト取付ブラケットに設けられる少なくとも２条のスリットと、
前記スリットを通して前記アームレストにねじ込まれる螺子軸を有し、前記アームレストと前記アームレスト取付ブラケットとを締結する締結具と
を備えることを特徴とするものである（第１発明）。
【００１１】
本発明において、前記２条のスリットのうち、前側のスリットは、その上部に、後側に円弧状に湾曲した円弧形状部を有するものとされるのが好ましい（第２発明）。
【００１２】
本発明において、前記２条のスリットにおける前側のスリットの幅が後側のスリットの幅よりも大きくされるのが好ましい（第３発明）。
【００１３】
本発明において、前記２条のスリットのうち、前側のスリットは、前記アームレストの前後方向の中央位置よりも後側に配されるのが好ましい（第４発明）。
【発明の効果】
【００１４】
第１発明においては、アームレスト取付ブラケットに少なくとも２条のスリットが設けられる。これらスリットは、前方に傾きを持たせて上下方向に延び、前後方向に所定間隔を存して平行に配置される。また、これらスリットのそれぞれに対応して締結具が設けられる。締結具の螺子軸は、スリットを通してアームレストにねじ込まれている。締結具を締め付けると、アームレストがアームレスト取付ブラケットに固定される。締結具を緩めると、アームレスト取付ブラケットに対しアームレストが締結具の螺子軸を介してスリットに沿って上下方向に移動可能な状態となる。スリットに沿ってアームレストを上下方向に移動させることにより、アームレストの高さ位置を調節することができる。
【００１５】
アームレスト取付ブラケットに設けられるスリットは、前方に傾きが付されて上下方向に延設されるものである。そのため、アームレストをスリットに沿って上昇させると、この上昇動作に連動させてアームレストを前側に移動させることができる。これとは逆に、アームレストをスリットに沿って下降させると、この下降動作に連動させてアームレストを後側に移動させることができる。したがって、中立位置で前傾状態の操作レバーに対して、アームレストをスリットに沿って上下方向に移動させても、操作レバーに対するアームレストの前後方向の相対距離の変化を抑えることができる。なお、スリットを操作レバーの軸線と平行に設けると、アームレストの高さ調節動作に伴う操作レバーに対するアームレストの前後方向の相対距離の変化を零にすることができる。
【００１６】
以上のような作用効果は、上記の２条のスリットと対応する締結具を設けるといった簡易な構成で、しかもアームレストをスリットに沿って上下方向に移動させるといった簡易な操作で得ることができる。
第１発明の建設機械のアームレスト装置によれば、簡易な構成・操作で、操作レバーに対するアームレストの前後方向の相対距離の変化を抑えつつアームレストの高さ調節を行うことができるという効果がある。
【００１７】
第２発明においては、アームレスト取付ブラケットに設けられる前側のスリットと後側のスリットとのうち、前側のスリットの上部が後側に円弧状に湾曲した円弧形状部とされる。これにより、後側の螺子軸を支点として、前側の螺子軸をその円弧形状部に沿って移動させることができる。こうして、アームレストが最上部位置にあるときに、後側の螺子軸を中心としてアームレストを上下方向に回動させることができる。したがって、アームレストを最上部位置で微妙な高さ調節を行うことができる。
【００１８】
第３発明においては、アームレスト取付ブラケットに設けられる前側のスリットの幅が後側のスリットの幅よりも大きくされる。これにより、前側のスリットの全長方向の任意の位置において螺子軸を円弧運動させることのできる遊び領域が形成される。そして、後側の螺子軸を支点として前側の螺子軸を前側のスリットの全長方向の任意の位置で円弧状に移動させることができる。こうして、アームレストがどのような高さ位置にあるときでも、後側の螺子軸を中心としてアームレストを上下方向に回動させることができる。したがって、アームレストを任意の高さ位置で微妙な高さ調節を行うことができる。
【００１９】
また、第４発明の構成を採用することにより、アームレストを上下方向に所要の領域で回動させる上で必要とされる前側のスリットの長さを短くすることができる。
【図面の簡単な説明】
【００２０】
【図１】本発明の第１の実施形態に係る建設機械のアームレスト装置を具備するホイールローダの左側面図
【図２】第１の実施形態の建設機械のアームレスト装置が装備された運転席ユニットの全体斜視図
【図３】図２のＡ−Ａ矢視図
【図４】図３のＢ−Ｂ矢視図（ａ）およびＣ部拡大図（ｂ）
【図５】アームレストの下降動作説明（ａ）およびアームレストの上昇動作説明図（ｂ）
【図６】アームレストの高さ位置の微調整動作説明図（ａ）および（ａ）のＤ部拡大図（ｂ）
【図７】本発明の第２の実施形態に係る建設機械のアームレスト装置が装備されたコンソールの左側面図
【図８】アームレストの高さ位置の微調整動作説明図（ａ）および（ａ）のＥ部拡大図（ｂ）
【図９】変形例に係る建設機械のアームレスト装置が装備された運転席ユニットの全体斜視図
【図１０】図９のＦ−Ｆ矢視図
【発明を実施するための形態】
【００２１】
次に、本発明による建設機械のアームレスト装置の具体的な実施の形態について、図面を参照しつつ説明する。
なお、以下に述べる実施の形態は、ホイールローダの運転席ユニットに配備されるコンソールに組み付けのアームレスト装置に本発明が適用された例である。しかし、これに限定されるものではなく、ホイールローダ以外の例えばブルドーザ等を含む建設機械に装備されるアームレスト装置にも本発明が適用されるのは言うまでもない。また、以下の説明において、前後左右方向は、特段の断りがない限り、運転席（オペレータシート）に着座したオペレータを基準とする前後左右方向に一致させている。
【００２２】
〔第１の実施形態〕
＜ホイールローダの概略説明：図１参照＞
図１に示されるホールローダ１は、左右の前車輪２を有する前部車体３と、左右の後車輪４を有する後部車体５とを備えている。
前部車体３と後部車体５とは、センタヒンジ６によって連結されている。これにより、前部車体３と後部車体５とがセンタヒンジ６を中心として左右方向に屈折自在とされている。
【００２３】
＜リフトアーム回り装備品の説明：図１参照＞
前部車体３には、左右方向に所定間隔を存して配される一対のリフトアーム７が図示されないリフトシリンダによって起伏自在に取り付けられている。また、前部車体３には、一対のリフトアーム７の間に位置するようにダンプシリンダ８が取り付けられている。
一対のリフトアーム７の前後方向中間部は、ビーム部材９によって結合されている。このビーム部材９には、ベルクランク装置１０が装着されている。
一対のリフトアーム７の先端部には、掘削・積込用のバケット１１が回動可能に取り付けられている。このバケット１１とダンプシリンダ８とはベルクランク装置１０を介して連結されている。そして、ダンプシリンダ８が圧油の作用によって伸縮されると、バケット１１が回動されるようになっている。
【００２４】
＜後部車体の装備品の概略説明：図１参照＞
後部車体５の骨組を構成する後部車体フレーム１２には、前から順に、運転室を構成するキャブ１３、作動油を貯留する作動油タンク１４、エンジン等を収容する動力室１５、および冷却ファン装置等を収容する後部外装カバー１６がそれぞれ搭載されている。
【００２５】
＜キャブの概略説明：図１，２参照＞
図２に示されるように、キャブ１３は、後部車体フレーム１２（図１参照）上に図示されない所要のマウントを介して設置される床部材１７に、上方からキャブ本体１８が被せられるように組み付けられて構成されている。
このキャブ１３において、床部材１７の略中央部には、運転席ユニット１９が設置されている。
【００２６】
＜運転席ユニットの概略説明：図２参照＞
運転席ユニット１９は、床部材１７上に固定される台座２０を備えている。この台座２０上には、サスペンション装置２１を介して基台２２が設置されている。この基台２２は、オペレータシート２３を載せる主板状部２２ａと、コンソール２４を載せるために右側に張り出された張出板状部２２ｂとにより構成されている。
基台２２の主板状部２２ａ上には、図示されないレール部材を介してオペレータシート２３が前後方向に移動調節可能に取り付けられている。また、基台２２の張出板状部２２ｂ上には、やはり図示されないレール部材を介してコンソール２４が前後方向に移動調節可能に取り付けられている。
【００２７】
＜コンソールの説明：図２参照＞
コンソール２４は、本体部分を構成するコンソール筐体２５に、各種のスイッチ類２６や、作業機の操作レバー２７、アームレスト装置２８などが一纏めに配設されて構成されている。
ここで、スイッチ類２６は、コンソール筐体２５の右側部に配置されている。操作レバー２７は、コンソールの筐体２５の前部に配置されている。アームレスト装置２８は、コンソール筐体２５の中間部から後部に亘って配置されている。
【００２８】
＜操作レバーの説明：図１、図３参照＞
図３に示されるように、操作レバー２７は、中立位置にあるときに前傾状態でコンソール筐体２５上に起立されている。この操作レバー２７を中立位置から前後または左右に傾動させることにより、リフトアーム７（図１参照）の起伏操作やバケット１１（図１参照）の回動操作ができるようになっている。
【００２９】
＜アームレスト装置の概略説明：図３参照＞
アームレスト装置２８は、コンソール筐体２５に立設されるアームレスト支持ブラケット２５ａに固定されるアームレスト取付ブラケット２９を備えている。このアームレスト取付ブラケット２９には、アームレスト３０が第１締結具３１および第２締結具３２のそれぞれの締め付けによって固定されている。
【００３０】
＜アームレスト取付ブラケットの説明：図３、図４（ａ）参照＞
図３に示されるように、アームレスト取付ブラケット２９は、左右方向に板面を向けて前後方向に延びる縦板部２９ａを有している。この縦板部２９ａの前部には、折り曲げ加工によって形成される水平板部２９ｂが設けられている。この水平板部２９ｂは、図４（ａ）に示されるように、上下方向に板面を向けて前後方向に水平に延び、縦板部２９ａの右側に張り出すように縦板部２９ａの下辺部から折り曲げ部２９ｃを介して一体的に接続されている。
水平板部２９ｂには、所要のボルト挿通孔３３が形成されている。このボルト挿通孔３３に対応するボルト挿通孔３４がアームレスト支持ブラケット２５ａに形成されている。また、アームレスト支持ブラケット２５ａには、ボルト挿通孔３４に合わせてナット３５が溶接固着されている。そして、水平板部２９ｂのボルト挿通孔３３とアームレスト支持ブラケット２５ａのボルト挿通孔３４とを通してナット３５に螺合するボルト３６を締め付けることにより、アームレスト取付ブラケット２９がアームレスト支持ブラケット２５ａに締結・固定される。
なお、図３に示されるように、縦板部２９ａの前後方向中間部には、水平板部２９ｂに繋がるように切り欠かれた切欠き部３７が形成されている。この切欠き部３７は、縦板部２９ａの前部に水平板部２９ｂを折り曲げ加工にて形成する際に、折り曲げ加工を容易に行うために加工上必要とされるものである。
【００３１】
＜アームレスト取付ブラケットのスリットの説明：図３、図４（ｂ）参照＞
図３に示されるように、アームレスト取付ブラケット２９の縦板部２９ａの後部には、２条のスリット（長孔）４１，４２が設けられている。これらのスリット４１，４２は、上部が前方に傾きを持たせて上下方向に延び、前後方向に所定間隔を存して平行に配置されている。なお、これらのスリット４１，４２の前方への傾き度合は、操作レバー２７の前方への傾き度合と略一致されている。つまり、これらのスリット４１，４２が操作レバー２７の軸線２７ａと略平行に設けられている。
ここで、図４（ｂ）に示されるように、前側のスリット４１は、その上部に、後側に円弧状に湾曲した円弧形状部４１ａを有している。また、前側のスリット４１は、アームレストの前後方向の中央位置よりも後側に配されている。また、前側のスリット４１の幅寸法Ｗ１と後側のスリットの幅寸法Ｗ２とは等しくとされている（Ｗ１＝Ｗ２）。
【００３２】
＜アームレスト取付ブラケットのテーパ部の説明：図４（ｂ）参照＞
アームレスト取付ブラケット２９の縦板部２９ａの上辺縁において、中間位置から前端位置に向かう部分には、下向きに傾斜する第１テーパ部４３が形成されている。同上辺縁において、中間位置から後端位置に向かう部分には、やはり下向きに傾斜する第２テーパ部４４が形成されている。こうして、アームレスト３０の上下方向の傾動操作（チルト操作）の際に、アームレスト３０の動きがアームレスト取付ブラケット２９によって妨げられないようにされている。
【００３３】
＜アームレストの説明：図３、図４（ａ）参照＞
図３に示されるように、アームレスト３０は、腕置き部３０ａと、腕置き部支持ブラケット３０ｂとにより構成されている。
腕置き部３０ａは、人の腕４５における肘から手首までの前腕部分４５ａを載せるのに十分な大きさで、適度なクッション性を有する板状部材で構成されている。
図４（ａ）に示されるように、腕置き部支持ブラケット３０ｂは、左右方向に板面を向けて前後方向に延びる縦板部４６を有している。この縦板部４６には、２つのボルト挿通孔４７，４７（１つのみ図示）が形成されている。これらボルト挿通孔４７，４７は、アームレスト取付ブラケット２９に設けられる２条のスリット４１，４２にそれぞれ対応させて配置されている。各ボルト挿通孔４７に合わせてナット４８が縦板部４６に溶接固着されている。
また、縦板部４６には、折り曲げ加工によって形成される水平板部４９が設けられている。この水平板部４９は、上下方向に板面を向けて前後方向に水平に延び、縦板部４６の右側に張り出すように縦板部４６の上辺部から折り曲げ部５０を介して一体的に接続されている。この水平板部４９上に腕置き部３０ａが載置・固定されている。
【００３４】
＜第１締結具、第２締結具の説明：図４（ａ）（ｂ）参照＞
図４（ａ）に示されるように、第１締結具３１は、螺子軸３１ａの基端部にノブ３１ｂが固着されて構成されている。この第１締結具３１の螺子軸３１ａの先端部分は、アームレスト取付ブラケット２９における前側のスリット４１（図４（ｂ）参照）と、この前側のスリット４１に対応するように設けられる腕置き部支持ブラケット３０ｂのボルト挿通孔４７とを通してナット４８にねじ込まれる。
第２締結具３２も基本的に第１締結具３１と同構造であり、図４（ａ）に示されるように、螺子軸３２ａの基端部にノブ３２ｂが固着されて構成されている。この第２締結具３２の螺子軸３２ａの先端部分は、アームレスト取付ブラケット２９における後側のスリット４２（図４（ｂ）参照）と、この後側のスリット４２に対応するように設けられる腕置き部支持ブラケット３０ｂのボルト挿通孔４７とを通してナット４８にねじ込まれる。
第１締結具３１と第２締結具３２とを締め付けることにより、アームレスト３０がアームレスト取付ブラケット２９に締結・固定される。
【００３５】
＜アームレストの高さ調整の動作の説明＞
次に、主として、図３、図４（ａ）（ｂ）、図５（ａ）（ｂ）および図６（ａ）（ｂ）を用いて、アームレスト３０の高さ調節の動作を説明する。なお、以下においては、図３に示されるような、アームレスト３０が高さ調節可能領域の中間に位置しているアームレスト標準高さ位置を基準として、アームレスト３０を上昇または下降させてその高さ位置を調節する動作を例に説明することとする。
【００３６】
＜アームレストの下降動作の説明：図３、図４（ａ）（ｂ），図５（ａ）参照＞
図３に示されるように、アームレスト３０が高さ調節可能領域の中間に位置しているアームレスト標準高さ位置状態において、第１締結具３１および第２締結具３２をそれぞれノブ３１ｂ，３２ｂ（図４（ａ）（ｂ）参照）の回動操作にて緩める。これにより、アームレスト取付ブラケット２９に対しアームレスト３０が締結具３１，３２の螺子軸３１ａ，３２ａを介してスリット４１，４２に沿って上下方向に移動可能な状態となる。
次いで、腕置き部３０ａを握って直接的にアームレスト３０を押し下げる、あるいは第１締結具３１および第２締結具３２の両方のノブ３１ｂ，３２ｂを握って間接的にアームレスト３０を押し下げて、アームレスト３０を好みの高さ位置まで下降させる。
アームレスト取付ブラケット２９に設けられるスリット４１，４２は、前方に傾きが付されて上下方向に延設されるものである。そのため、図３および図５（ａ）に示されるように、アームレスト３０をスリット４１，４２に沿って下降させると、この下降動作に連動させてアームレスト３０を後側に移動させることができる。
【００３７】
＜アームレストの上昇動作の説明：図３、図４（ａ）（ｂ），図５（ｂ）参照＞
図３に示されるように、アームレスト３０が高さ調節可能領域の中間に位置しているアームレスト標準高さ位置状態において、第１締結具３１および第２締結具３２をそれぞれノブ３１ｂ，３２ｂ（図４（ａ）（ｂ）参照）の回動操作にて緩める。これにより、アームレスト取付ブラケット２９に対しアームレスト３０が締結具３１，３２の螺子軸３１ａ，３２ａを介してスリット４１，４２に沿って上下方向に移動可能な状態となる。
次いで、腕置き部３０ａを握って直接的にアームレスト３０を持ち上げる、あるいは第１締結具３１および第２締結具３２の両方のノブ３１ｂ，３２ｂを握って間接的にアームレスト３０を持ち上げて、アームレスト３０を好みの高さ位置まで上昇させる。
アームレスト取付ブラケット２９に設けられるスリット４１，４２は、前方に傾きが付されて上下方向に延設されるものである。そのため、図３および図５（ｂ）に示されるように、アームレスト３０をスリット４１，４２に沿って上昇させると、この上昇動作に連動させてアームレスト３０を前側に移動させることができる。
【００３８】
＜アームレストの高さ位置の微調整動作の説明：図４（ｂ）、図５（ｂ）、図６（ａ）（ｂ）参照＞
図５（ｂ）に示されるように、アームレスト３０の上昇動作により、アームレスト３０が高さ調節可能領域の最上部に位置された状態において、第１締結具３１は完全に緩める一方、第２締結具３２はアームレスト３０がずり落ちない程度に緩めておく。これにより、後側のスリット４２を通してアームレスト３０にねじ込まれる後側の螺子軸３２ａを支点として、前側のスリット４１を通してアームレスト３０にねじ込まれる前側の螺子軸３１ａを、図６（ｂ）に示されるように、前側のスリット４１の上部における円弧形状部４１ａに沿って移動させることができる状態となる。
次いで、腕置き部３０ａを握って直接的にアームレスト３０を上下方向に傾動させる、あるいは第１締結具３１のノブ３１ｂを握って間接的にアームレスト３０を上下方向に傾動させ、図６（ａ）（ｂ）に示されるように、アームレスト３０の上下方向の傾きと共に高さ位置を微調整する。
【００３９】
＜第１の実施形態の作用効果の説明：図３参照＞
図３に示されるように、第１の実施形態のアームレスト装置２８において、アームレスト取付ブラケット２９に設けられるスリット４１，４２は、前方に傾きが付されて上下方向に延設されるものである。そのため、アームレスト３０をスリット４１，４２に沿って上昇させると、この上昇動作に連動させてアームレスト３０を前側に移動させることができる。これとは逆に、アームレスト３０をスリット４１，４２に沿って下降させると、この下降動作に連動させてアームレスト３０を後側に移動させることができる。したがって、中立位置で前傾状態の操作レバー２７に対して、アームレスト３０をスリット４１，４２に沿って上下方向に移動させても、操作レバー２７に対するアームレスト３０の前後方向の相対距離の変化を抑えることができる。なお、スリット４１，４２は操作レバー２７の軸線２７ａと略平行に設けられているので、アームレスト３０の高さ調節動作に伴う操作レバー２７に対するアームレスト３０の前後方向の相対距離の変化を略零にすることができる。
以上のような作用効果は、上記の２条のスリット４１，４２と対応する締結具３１，３２とを設けるといった簡易な構成で、しかもアームレスト３０をスリット４１，４２に沿って上下方向に移動させるといった簡易な操作で得ることができる。
第１の実施形態のアームレスト装置２８によれば、簡易な構成・操作で、操作レバー２７に対するアームレスト３０の前後方向の相対距離の変化を抑えつつアームレスト３０の高さ調節を行うことができるという効果がある。
【００４０】
＜第１の実施形態の作用効果の説明：図６（ａ）（ｂ）参照＞
図６（ａ）（ｂ）に示されるように、前側のスリット４１は、その上部に、後側に円弧状に湾曲した円弧形状部４１ａを有するものとされる。これにより、後側のスリット４２を通してアームレスト３０にねじ込まれる後側の螺子軸３２ａを支点として、前側のスリット４１を通してアームレスト３０にねじ込まれる前側の螺子軸３１ａを、前側のスリット４１の上部における円弧形状部４１ａに沿って移動させることができる。こうして、アームレスト３０が最上部位置にあるときに、後側の螺子軸３２ａを中心としてアームレスト３０を上下方向に回動させることができる。したがって、アームレスト３０を最上部位置で微妙な高さ調節を行うことができる。
【００４１】
＜第１の実施形態の作用効果の説明：図３参照＞
また、図３に示されるように、前側のスリット４１は、アームレスト３０の前後方向の中央位置よりも後側に配されている。これにより、アームレスト３０を上下方向に所要の領域で回動させる上で必要とされる前側のスリット４１の長さを短くすることができる。
【００４２】
〔第２の実施形態〕
図７には、本発明の第２の実施形態に係る建設機械のアームレスト装置が装備されたコンソールの左側面図が示されている。また、図８には、アームレストの高さ位置の微調整動作の説明図（ａ）および（ａ）のＥ部拡大図（ｂ）がそれぞれ示されている。なお、第２の実施形態の建設機械のアームレスト装置において、第１の実施形態の建設機械のアームレスト装置と同一または同様のものについては図に同一符号を付すに留めてその詳細な説明を省略することとし、以下においては第１の実施形態の建設機械のアームレスト装置と異なる点を中心に説明することとする。
【００４３】
＜前側のスリットの形状の相違点の説明：図４（ｂ）、図７、図８（ｂ）参照＞
図４（ｂ）に示されるように、第１の実施形態のアームレスト装置２８においては、アームレスト取付ブラケット２９に設けられる前側のスリット４１の幅寸法Ｗ１と後側のスリット４２の幅寸法Ｗ２とが等しくされている（Ｗ１＝Ｗ２）。これに対し、第２の実施形態のアームレスト装置２８Ａにおいては、図７および図８（ｂ）に示されるように、アームレスト取付ブラケット２９に設けられる前側のスリット４１´の幅寸法Ｗ１´が後側のスリットの幅寸法Ｗ２よりも大きくされている（Ｗ１´＞Ｗ２）。
【００４４】
＜第２の実施形態の作用効果の説明：図８（ａ）（ｂ）参照＞
第２の実施形態のアームレスト装置２８Ａによれば、第１の実施形態のアームレスト装置２８と同様の作用効果を得ることができるのは言うまでもない。
さらに、図８（ａ）（ｂ）に示されるように、第２の実施形態のアームレスト装置２８Ａによれば、前側のスリット４１´の全長方向の任意の位置において螺子軸３１ａを円弧運動させることのできる遊び領域４１ｂ´が形成される。これにより、後側の螺子軸３２ａを支点として前側の螺子軸３１ａを前側のスリット４１´の全長方向の任意の位置で円弧状に移動させることができる。このため、アームレスト３０がどのような高さ位置にあるときでも、後側の螺子軸３２ａを中心としてアームレスト３０を上下方向に回動させることができる。したがって、アームレスト３０を任意の高さ位置で微妙な高さ調節を行うことができる。
【００４５】
以上、本発明の建設機械のアームレスト装置について、複数の実施形態に基づいて説明したが、本発明は上記実施形態に記載した構成に限定されるものではなく、各実施形態に記載した構成を適宜組み合わせる等、その趣旨を逸脱しない範囲において適宜その構成を変更することができるものである。
【００４６】
＜変形例の説明：図１、図９、図１０参照＞
例えば、上記の各実施形態においては、コンソールに配設される操作レバーが１本だけである例を示したが、これに限定されるものではなく、図９および図１０に示されるように、複数の操作レバーをコンソールに配設する態様例もあり得る。
図９および図１０に示される態様例においては、コンソール筐体２５の前部に、一番右側にオプション用の操作レバー５１、真ん中にリフトアーム用の操作レバー５２、一番左側にバケット用の操作レバー５３の合計３本の操作レバーが配置されている。これら操作レバー５１，５２，５３は、中立位置にあるときに前傾状態でコンソール筐体２５上に起立されている。リフトアーム用の操作レバー５２を中立位置から前後に傾動させることにより、リフトアーム７（図１参照）の起伏操作ができるようになっている。また、バケット用の操作レバー５３を中立位置から前後に傾動させることにより、バケット１１（図１参照）の回動操作ができるようになっている。
【産業上の利用可能性】
【００４７】
本発明の建設機械のアームレスト装置は、操作レバーに対するアームレストの前後方向の相対距離の変化を抑えつつアームレストの高さ調節を行うことができるという特性を有していることから、アームレストの上に主として肘を置くアームレスト装置本来の用途に好適に用いることができるほか、例えば、操作レバーを操作する際にアームレストの前端部に手首部分を置くリストレスト装置としての用途にも好適に用いることができる。
【符号の説明】
【００４８】
１                  ホイールローダ
２４                コンソール
２７，５１〜５３    操作レバー
２８，２８Ａ        アームレスト装置
２９                アームレスト取付ブラケット
３０                アームレスト
３１                第１締結具
３１ａ              螺子軸
３２                第２締結具
３２ａ              螺子軸
４１，４１´        スリット（前側）
４１ａ              円弧形状部
４２                スリット（後側）
【図１】
2012136050.tif 000003
【図２】
2012136050.tif 000004
【図３】
2012136050.tif 000005
【図４】
2012136050.tif 000006
【図５】
2012136050.tif 000007
【図６】
2012136050.tif 000008
【図７】
2012136050.tif 000009
【図８】
2012136050.tif 000010
【図９】
2012136050.tif 000011
【図１０】
2012136050.tif 000012